(57)【要約】【課題】装置の設置スペース及び運搬性を考慮して紫外線ランプを覆う紫外線反応槽を縦方向に設置しても、紫外線ランプの洗浄及び交換作業が容易に行うことができる紫外線殺菌装置を提供することにある。【解決手段】紫外線ランプ２１により被処理水に紫外線を照射して殺菌処理する紫外線殺菌装置において、ベース１１と、ベース１１に搭載され被処理水を取水する取水ポンプ１５及び取水した被処理水を濾過するフィルタユニット３１と、紫外線ランプ２１を収納するとともに、被処理水を殺菌処理する紫外線反応槽２０と、紫外線反応槽２０をベース１１に対して傾倒自在に支持する枢支機構としての蝶番１９とを具備したことを特徴とする。【選択図】図１
2007144337.tif 000002
【特許請求の範囲】
【請求項１】
紫外線ランプにより被処理水に紫外線を照射して殺菌処理する紫外線殺菌装置において、
ベースと、
前記ベースに搭載され被処理水を取水する取水ポンプ及び取水した被処理水を濾過するフィルタユニットと、
前記紫外線ランプを収納するとともに、前記被処理水を殺菌処理する紫外線反応槽と、
前記紫外線反応槽を前記ベースに対して傾倒自在に支持する枢支機構と、
を具備したことを特徴とする紫外線殺菌装置。
【請求項２】
前記フィルタユニットは、前記紫外線反応槽に固定され、該紫外線反応槽と一体的に傾倒自在であることを特徴とする請求項１記載の紫外線殺菌装置。
【請求項３】
前記取水ポンプとフィルタユニットは、可撓性を有するホースで接続されていることを特徴とする請求項１または２記載の紫外線殺菌装置。
【請求項４】
前記枢支機構は、蝶番であることを特徴とする請求項１記載の紫外線殺菌装置。
【発明の詳細な説明】
【技術分野】
【０００１】
この発明は、例えば、海水、下水処理放流水等を紫外線によって殺菌する紫外線殺菌装置に関する。
【背景技術】
【０００２】
例えば、下水処理放流水等の消毒には塩素が用いられていたが、近年塩素副成物の影響が問題となり、塩素に代って紫外線によって下水処理放流水等の殺菌が行われている。紫外線殺菌装置は、ケーシングのチャンバーに透明石英製の保護管で覆われた紫外線ランプを設置することにより構成されている。そして、ケーシングの一端側に設けられた流入口と他端側に設けられた流出口を配管に接続し、前記チャンバーに下水処理放流水等を流しながら紫外線ランプから照射される紫外線によって下水処理放流水等の殺菌を行っている（例えば、特許文献１参照。）。
同じく紫外線ランプを用いた紫外線殺菌装置として、タンクに設けられた２枚のフランジ間に透明石英製の保護管で覆われた紫外線ランプを横方向に設置するとともに、保護管にワイパーを設け、このワイパーを保護管の軸方向に移動させて保護管に付着したスケールを除去するようにした清掃機能付き紫外線殺菌装置も知られている（例えば、特許文献２参照。）。
【特許文献１】特開２００１−４７０４０号公報（段落番号［０００９］及び図１）
【特許文献２】特開２００１−６２４１５号公報（段落番号［００１３］及び図１）
【発明の開示】
【発明が解決しようとする課題】
【０００３】
ところで、紫外線ランプによる殺菌装置は、紫外線ランプが発生する紫外線照射量に限界があるため、反応時間を増加させるために前述した特許文献１に示すように、紫外線ランプが長大化している。また、紫外線ランプを覆う透明石英製の保護管は、下水処理放流水等に含まれる異物の付着により、紫外線ランプの照射エネルギーが減衰するため、定期的に洗浄しなくてはならないが、紫外線殺菌装置の設置スペースをできるだけ少なくするためと運搬性を考慮して紫外線ランプを覆う保護管を縦方向に設置したものが多い。従って、紫外線ランプを覆う保護管が高い位置となり、洗浄作業が困難になるとともに、紫外線ランプの交換時に紫外線ランプが施設天井に接触するなど不具合があり、作業性が悪いという問題がある。
また、特許文献２のものは、ワイパーを保護管の軸方向に移動させて保護管に付着したスケールを除去できる清掃機能付きであることから、前述のような問題を解消できるが、紫外線殺菌装置が複雑となり、コストアップの原因となる。さらに、ワイパーがタンクに内蔵されているため、洗浄効果が確認できないという問題がある。
この発明は、前記事情に着目してなされたもので、その目的とするところは、装置の設置スペース及び運搬性を考慮して紫外線ランプを覆う紫外線反応槽を縦方向に設置しても、紫外線ランプの洗浄及び交換作業が容易に行うことができる紫外線殺菌装置を提供することにある。
【課題を解決するための手段】
【０００４】
この発明は、前記目的を解決するために、請求項１は、紫外線ランプにより被処理水に紫外線を照射して殺菌処理する紫外線殺菌装置において、ベースと、前記ベースに搭載され被処理水を取水する取水ポンプ及び取水した被処理水を濾過するフィルタユニットと、前記紫外線ランプを収納するとともに、前記被処理水を殺菌処理する紫外線反応槽と、前記紫外線反応槽を前記ベースに対して傾倒自在に支持する枢支機構とを具備したことを特徴とする。
請求項２は、請求項１のフィルタユニットは、前記紫外線反応槽に固定され、該紫外線反応槽と一体的に傾倒自在であることを特徴とする。
請求項３は、請求項１または２記載の前記取水ポンプとフィルタユニットは、可撓性を有するホースで接続されていることを特徴とする。
【０００５】
請求項４は、請求項１の枢支機構は、蝶番であることを特徴とする。
【発明の効果】
【０００６】
この発明によれば、紫外線ランプを収納する紫外線反応槽をベースに対して傾倒自在に支持することにより、装置の設置スペース及び運搬性を考慮して紫外線ランプを覆う紫外線反応槽を縦方向に設置しても、紫外線ランプの洗浄及び交換作業が容易に行うことができるという効果がある。
【発明を実施するための最良の形態】
【０００７】
以下、この発明の実施の形態を図面に基づいて説明する。
【０００８】
図１〜図５は紫外線殺菌装置の第１の実施形態を示す。図１〜図３に示すように、パイプフレームによって矩形枠状に構成したベース１１の四隅には可搬性を持たせるためにキャスター１２が設けられている。ベース１１の上部及び両側部には開口部１３が設けられている。ベース１１の底部には電動機１４が固定され、この電動機１４の回転軸には取水ポンプ１５が直結されている。取水ポンプ１５には例えば、海水、下水処理放流水等の被処理水を取水する吸込み口１６及び吐出口１７が設けられ、吐出口１７には圧力計１７ａが設けられている。
【０００９】
また、ベース１１の内部には架台１８が設けられている。架台１８は図４（ａ）に示すように、２本の支柱１８ａを間隔１８ｂを存して立設することにより構成されている。２本の支柱１８ａの上端部には、図４（ｂ）に示すように、枢支機構としての蝶番１９が１個ずつ設けられ、蝶番１９によって紫外線反応槽２０がベース１１に対して傾倒自在に支持されている。
【００１０】
すなわち、紫外線反応槽２０は、直管形の紫外線ランプ２１を有し、この紫外線ランプ２１は透明石英製の円筒状の保護管２２によって全体が覆われている。保護管２２のさらに外側は円筒状のケーシング２３によって全体が覆われ、保護管２２とケーシング２３との間には被処理水を流通するためのチャンバー２４が構成されている。
【００１１】
さらに、図５に示すように、ケーシング２３の側壁には両側に突出する上部取付け片２３ａと下部取付け片２３ｂが溶接され、上部取付け片２３ａと支柱１８ａとの間に蝶番１９が取付けられている。また、上部取付け片２３ａと下部取付け片２３ｂには摘み付きねじ２３ｃが設けられ、摘み付きねじ２３ｃを架台１８を構成する支柱１８ａに対してねじ込むことにより、紫外線反応槽２０はベース１１に対して垂直状態に固定されている。
【００１２】
紫外線反応槽２０のケーシング２３の下端部には一対の入口管２４ａが、上端部には１本の出口管２４ｂが設けられ、出口管２４ｂの途中には流量計２５ａと２本の支柱１８ａの間隔１８ｂを通過するボール弁２５ｂが設けられている。
【００１３】
ケーシング２３の上端部には下部フランジ２６ａが一体に設けられ、この下部フランジ２６ａには上部フランジ２６ｂが複数本のボルト２７によって固定されている。上部フランジ２６ｂには紫外線ランプ２１の端部に設けられたソケットに嵌合する嵌合筒体２８が設けられ、この嵌合筒体２８には紫外線ランプ２１のソケットを固定する固定環体２９がねじ込み固定されている。すなわち、保護管２２に覆われた紫外線ランプ２１は、固定環体２９を嵌合筒体２８から取り外すことにより、ケーシング２３の軸方向へ抜き取ることができるようになっている。
【００１４】
ケーシング２３の側壁にはブラケット３０を介してフィルタユニット３１が取付けられている。フィルタユニット３１は縦方向に長い一対の円筒状の筒体３２と、これら筒体３２の内部に装着するフィルタエレメント３３とから構成されている。フィルタユニット３１の筒体３２の上部には一方の室に連通する入口３４が、他方の室に連通する出口３５が設けられている。そして、一対の筒体３２の入口３４はそれぞれ可撓性を有するホース３６を介して前記取水ポンプ１５の吐出口１７と接続されている。また、一対の筒体３２の出口３５はそれぞれパイプ３７を介して前記チャンバー２４の一対の入口管２４ａに接続されている。
【００１５】
従って、紫外線反応槽２０のケーシング２３にはフィルタユニット３１、このフィルタユニット３１とチャンバー２４とを接続するパイプ３７及び流量計２５ａ、ボール弁２５ｂを備えた出口管２４ｂが一体的に設けられ、これらは蝶番１９によって一体的に傾倒（回動）するようになっている。
また、ベース１１の上部にはパイプフレームに対して固定された制御盤３８が設けられている。さらに、ベース１１の左右両側部における上部にはパイプからなる取手３９が架設されている。この取手３９は紫外線殺菌装置をキャスター１２の転動によって地上や床面を移動させる際に把持して押引きできるようになっている。また、取手３９は紫外線反応槽２０を蝶番１９を支点として傾倒した際に、紫外線反応槽２０のケーシング２３の下端部が当たって紫外線反応槽２０の回動範囲を規制するストッパとしての役目をしている。
【００１６】
次に、前述のように構成された紫外線殺菌装置の作用について説明する。
電動機１４によって取水ポンプ１５を駆動すると、海水等の被処理水は吸込み口１６から取水され、吐出口１７からホース３６を介してフィルタユニット３１に供給される。フィルタユニット３１には一対の筒体３２が設けられ、各筒体３２にはフィルタエレメント３３が設けられているため、被処理水に含まれている魚類の糞尿や汚濁物質を濾過する。従って、紫外線反応槽２０に流入する被処理水の汚濁物質をフィルタエレメント３３が捕捉して紫外線ランプ２１の保護管２２に汚濁物質が付着するのを低減できる。また、取水ポンプ１５の吐出口１７に圧力計１７ａを設けているため、圧力計１７ａに指示される数値によって取水ポンプ１５の吸込み側に設けた取水ポンプ保護用のストレーナ（図示しない）の目詰まりなどの原因を特定することもできる。
フィルタユニット３１を通過した被処理水はパイプ３７を介して紫外線反応槽２０の入口管２４ａからチャンバー２４の下部に入り、チャンバー２４の内部を上昇する。このとき、紫外線ランプ２１から被処理水に紫外線が照射され、被処理水が殺菌処理される。殺菌処理された被処理水はチャンバー２４の上部の出口管２４ｂに流れる。出口管２４ｂには流量計２５ａが設けられているため、処理水量を常時監視して所定の流量を維持しつつ、フィルタエレメント３３の目詰まり具合を監視でき、フィルタエレメント３３の交換時期を決める目安とすることができる。
また、一定期間使用すると、紫外線反応槽２０における紫外線ランプ２１の保護管２２に汚濁物質が堆積し、紫外線の照射量が低下して殺菌能力が落ちるため、紫外線ランプ２１の保護管２２を定期的に洗浄する必要がある。このとき、４本の摘み付きねじ２３ｃを緩めると、紫外線反応槽２０のケーシング２３と架台１８との結合状態が解除され、紫外線反応槽２０のケーシング２３は蝶番１９だけで架台１８に支持された状態となる。
従って、紫外線反応槽２０のケーシング２３を手で支えながら蝶番１９を支点として矢印ａ方向に方向に回動して紫外線反応槽２０を傾倒できる。このとき、紫外線反応槽２０のケーシング２３とフィルタユニット３１とが一体的に傾倒するが、取水ポンプ１５とフィルタユニット３１とは可撓性を有するホース３６で接続されているため、紫外線反応槽２０の回動を妨げることはない。そして、ケーシング２３の下端側が取手３９に当接すると、紫外線反応槽２０の回動量が規制されて紫外線反応槽２０が図１の破線の状態に保持される。
紫外線反応槽２０が傾倒すると、紫外線反応槽２０の上端部の固定環体２９が低い位置となり、固定環体２９を手指で緩めて嵌合筒体２８から取り外すことにより、紫外線ランプ２１とともに保護管２２をケーシング２３から抜き取ることができる。そして、保護管２２に付着している汚濁物質を洗浄することができ、また紫外線ランプ２１の交換作業を行うことができる。
保護管２２の洗浄、紫外線ランプ２１の交換等の作業が完了した後は、紫外線反応槽２０のケーシング２３を手で支えながら蝶番１９を支点として矢印ｂ方向に方向に回動して紫外線反応槽２０を垂直状態とし、４本の摘み付きねじ２３ｃを締め付けると、紫外線反応槽２０のケーシング２３を架台１８に固定することができる。
従って、紫外線反応槽２０の保守・点検時のみ紫外線反応槽２０をベース１１に対して傾倒して低い位置で作業でき、装置の設置スペース及び運搬性を考慮して紫外線反応槽を縦方向に設置しても、保守・点検作業を容易に行うことができる。
なお、前記実施形態のおいては、架台１８に紫外線反応槽２０を回動自在に枢支する枢支機構として蝶番１９を設けたが、蝶番１９に限定されるものではなく、回転軸によって回動自在に枢支する枢支機構としてもよい。
【００１７】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００１８】
【図１】この発明の第１の実施形態を示し、紫外線殺菌装置の縦断正面図。
【図２】同実施形態を示し、（ａ）は紫外線殺菌装置の正面図、（ｂ）は（ａ）のＡ−Ａ線に沿う断面図。
【図３】同実施形態を示し、（ａ）は紫外線殺菌装置の側面図、（ｂ）は平面図。
【図４】同実施形態を示し、（ａ）はベースの側面図、（ｂ）はベースの平面図。
【図５】同実施形態を示し、ケーシングの側面図。
【符号の説明】
【００１９】
１１…ベース、１５…取水ポンプ、２０…紫外線反応槽、２１…紫外線ランプ、３１…フィルタユニット
【図１】
2007144337.tif 000003
【図２】
2007144337.tif 000004
【図３】
2007144337.tif 000005
【図４】
2007144337.tif 000006
【図５】
2007144337.tif 000007